(57)【要約】【課題】浴室ユニット設置用の吊架台構造において、梁部材が長手方向に変位したり短手方向に振動したり沈下したりすることのない、安定性の高い吊架台を提供する。【解決手段】対向する横長部材Ｌの少なくとも一方に受け具３を固定し、梁部材１の端部を受け具３の補強部３，３間へ挿入して幅方向に挟持する。梁部材１の両端部に固定した吊部材２，２をそれぞれ横長部材Ｌへ固定し、梁部材１を受け具３へ一体的に固定する。吊部材２を横長部材Ｌに固定し、梁部材１と受け具３とを一体的に固定したので、梁部材１が長手方向に変動するのが阻止される。梁部材１の端部下面が受け具３で支承されるから、吊部材２と受け具３との間の隙間ｄが大きくなっても、吊部材２の固定部２ａが変形せず、吊架台Ｔの沈下が防止される。梁部材１の端部を受け具３の補強部３．３間で挟持する構造としたので、梁部材１が幅方向に振動するのが阻止される。【選択図】      図１
2008223445.tif 000002
【特許請求の範囲】
【請求項１】
浴槽と洗い場防水パンとを備える浴室ユニットを設置するための吊架台構造であって、浴室ユニット設置領域を囲む建物構成部材のうち一組の対向する横長部材間に架け渡される梁部材と、梁部材の両端部に設けられる吊部材と、梁部材の少なくとも一方の端部側に配置される受け具とを備え、前記吊部材は、横長部材の上面に固定される固定部と、固定部に対し実質的に直角に垂設され前記梁部材の端部に固定される垂下部とを有し、前記受け具は、前記梁部材の端部下面を支承する支持部と、支持部に対し実質的に直角に連設され横長部材に固定される起立部と、支持部と起立部とを連結すると共に前記梁部材を幅方向に挟む実質的に平行に配置された１対の補強部とを有し、前記梁部材の両端部に固定した吊部材をそれぞれ対向する横長部材に固定することにより当該梁部材が当該対向する横長部材間に保持され、前記梁部材の少なくとも一方の端部が前記受け具の補強部間に挿入されると共に前記受け具に固定されていることを特徴とする吊架台構造。
【発明の詳細な説明】
【技術分野】
【０００１】
本発明は、浴槽と洗い場防水パンとを備える浴室ユニットを設置するために用いる吊架台の構造に関する。
【背景技術】
【０００２】
浴槽・洗い場防水パン・エプロン等から成る浴室ユニットの設置手段としては、従来、土間等の躯体床面で荷重を支持する構造のほか、大引や梁等から成る横長部材間に架け渡した吊架台で荷重を支持する構造が知られている。吊架台は、床面への荷重負担が好ましくない個所、例えば家屋の二階部分に浴室ユニットを設置するのに用いられる。
【０００３】
一般に吊架台は、図４に示す如く、建物躯体や布基礎等から成る基礎Ｋの上面部に大引や梁等から成る横長部材Ｌを配置して、浴室ユニットＵの設置領域Ｒを囲む土台Ｍを形成し、この土台Ｍの対向する部位に梁部材２１を架け渡して構築される。特許文献１では、土台Ｍの対向位置に固定した一組の受け具２２，２２で梁部材２１の両端を保持することにより、吊架台２０を構築している。
【０００４】
前述の如き吊架台２０を用いた浴室ユニットＵの設置構造の一例を示せば、図４に示す如く、吊架台２０を支持している横長部材Ｌの他の個所に、別の受け具２３，２４を対向配置し、補強フレームＦの脚部２５を上記吊架台２０及び受け具２３，２４上に載置せしめ、この補強フレームＦによって洗い場防水パンＸ・浴槽Ｙ・エプロンＺを支持する。従って上記吊架台２０は、主として浴槽Ｙ側の荷重支持を負担する。なお実際の施工手順としては、補強フレームＦの一部分ｆ１をあらかじめ洗い場防水パンＸの裏面に装着しておき、洗い場防水パンＸを受け具２３，２４上に載置したあと、補強フレームＦの残りの部分ｆ２を、先に設置した洗い場防水パンＸ側の補強フレーム部分ｆ１に連結し、その上に浴槽Ｙを適宜の脚部材２６を介して載設することが考えられる。
【０００５】
上に述べたように、前記従来の吊架台２０は、横長部材Ｌに固定した受け具２２に梁部材２１の両端部を連結することで構成されるが、特許文献１では次のような梁部材２１と受け具２２との連結構造を採用している。図５（Ａ）（Ｂ）に示す如く、受け具２２を、梁部材２１の端部下面を支承する支持部２２ａと、支持部２２ａに対し直角に連設された起立部２２ｂと、起立部２２ｂの上端に直角に連設された固定部２２ｃと、支持部２２ａと起立部２２ｂとを連結する補強部２２ｄとで形成し、起立部２２ｂ及び固定部２２ｃを横長部材Ｌへネジ１０等によって固定する。補強部２２ｄには長孔２４を形成し、梁部材２１の端部側面には貫通孔２５を設けておく。また梁部材２１の一端部と横長部材Ｌとの間には、若干の隙間ｓが形成されるように設定する。そして、梁部材２１の端部を受け具２２に載置した後、補強部２２ｄの長孔２４から挿入したボルト３０を、梁部材２１の貫通孔２５を挿通させて先端部を突出させ、この先端部にナット３１を螺合させて締め付ける。なお通常は、ワッシャー３２を間に配置する。また必要に応じ、梁部材２１と受け具２２との間に接着剤を塗布する場合もある。
【０００６】
従来の他の吊架台構造が特許文献２に記載されている。特許文献２の吊架台は、梁部材の両端部に水平部と垂下部とから成る逆Ｌ字形の吊具を一体に取着し、この吊具の水平部を横長部材に固定するというものである。梁部材の長さは、横長部材の間隔寸法より短くなるよう設定され、従って、吊具の垂下部と横長部材部材との間には、若干の隙間が設けられている。
【特許文献１】特開平６−５７９７２号公報
【特許文献２】特開２００１−２４１０７５号公報
【発明の開示】
【発明が解決しようとする課題】
【０００７】
特許文献１に記載された従来の吊架台構造において、受け具２２におけるボルト挿通用の孔を長孔２４とすると共に、梁部材２１と横長部材Ｌとの間に隙間ｓを形成したのは、梁部材２１を架け渡す横長部材Ｌ，Ｌの間隔寸法が施工現場によって異なる場合があり、この寸法変動に対応できるようにするためである。寸法変動の原因は、横長部材Ｌの幅寸法が必ずしも一定ではないことや、横長部材Ｌの内面側（室内側）にボード材等を取着する場合が有ること等による。
【０００８】
ところで、浴室内で人が移動したり、浴槽Ｙに対し給排水を行ったりすることにより、吊架台２０に対し変動を伴う荷重が作用する結果、梁部材２１を受け具２２に固定しているボルト３０・ナット３１が緩む可能性がある。ボルト３０・ナット３１が緩んで梁部材２１と受け具２２との一体性が損なわれると、受け具２２におけるボルト３０の挿通孔が長孔２４であり且つ梁部材２１と横長部材Ｌとの間に隙間ｓがあるために、梁部材２１が長手方向に変位可能となり、きしみ音を発生させたり吊架台２０の安定性を低下させたりするおそれがある。たとえ梁部材２１と受け具２２との間に接着剤を塗布したとしても、上記きしみ音の発生や梁部材２１の変位を完全に阻止するのは困難であった。
【０００９】
特許文献２に記載の吊架台構造においては、施工現場の状況によって、梁部材に取着した吊具の垂下部と横長部材との隙間寸法が大きくなった場合、吊具の水平部に大きい曲げモーメントが作用して、水平部が湾曲又は屈曲し、その結果、吊架台が沈下するおそれがあった。
【課題を解決するための手段】
【００１０】
前記従来の課題に対処すべく創案した本発明の特徴とするところは、浴槽と洗い場防水パンとを備える浴室ユニットを設置するための吊架台構造であって、浴室ユニット設置領域を囲む建物構成部材のうち一組の対向する横長部材間に架け渡される梁部材と、梁部材の両端部に設けられる吊部材と、梁部材の少なくとも一方の端部側に配置される受け具とを備え、前記吊部材は、横長部材の上面に固定される固定部と、固定部に対し実質的に直角に垂設され前記梁部材の端部に固定される垂下部とを有し、前記受け具は、前記梁部材の端部下面を支承する支持部と、支持部に対し実質的に直角に連設され横長部材に固定される起立部と、支持部と起立部とを連結すると共に前記梁部材を幅方向に挟む実質的に平行に配置された１対の補強部とを有し、前記梁部材の両端部に固定した吊部材をそれぞれ対向する横長部材に固定することにより当該梁部材が当該対向する横長部材間に保持され、前記梁部材の少なくとも一方の端部が前記受け具の補強部間に挿入されると共に前記受け具に固定されていることである。
【００１１】
なお上記において建物構成部材とは、大引や梁などの横長部材をはじめ、建物躯体・基礎・土台、並びにこれらと同等の構成要素を含む概念である。また実質的に直角・平行とは、製作誤差を含む場合など、真の直角・平行ではないが、機能的に見て同一視できる範囲を許容することを意味している。
【発明の効果】
【００１２】
本発明に係る吊架台構造は、梁部材の両端部に設けた吊部材を横長部材に固定すると共に、梁部材の少なくとも一方の端部を受け具に固定する構造を採用したから、梁部材が長手方向に変位することがなく、きしみ音の発生が解消される。梁部材の少なくとも一方の端部下面を、横長部材に固定した受け具によって支承するから、施工環境によって吊部材の垂下部と横長部材との隙間寸法が大きくなったとしても、吊部材の固定部に大きい曲げモーメントが作用することがなく、それ故、固定部が変形して梁部材を沈下させるおそれがない。受け具に設けた平行な１対の補強部で梁部材の端部を幅方向に挟むと共に、梁部材を受け具に固定するから、梁部材が短手方向（長手方向に対し直角な水平方向）に変位したり振動したりするのが阻止される。上述した各作用の結果、本発明によれば、変位や振動が生じにくく安定性の高い吊架台構造を提供することが可能である。
【発明を実施するための最良の形態】
【００１３】
［第１の実施形態］
図１は、本発明の一実施形態に係る吊架台構造の要部を示すものであって、梁部材１と受け具３とを分離した状態の斜視図、図２は、同実施の形態に係る吊架台構造の要部を示す正面断面図である。本発明に係る吊架台Ｔは、浴槽と洗い場防水パンとを備える浴室ユニットを設置するために用いられるものであって、浴室ユニット設置領域Ｒ（図４参照）を囲む建物構成部材のうち、一組の対向する横長部材Ｌ，Ｌ間に設けられる。なお図４に示す従来例と同様に、本発明吊架台Ｔは、浴槽側の荷重支持に使用するほか、洗い場防水パン側の荷重支持に用いたり、浴槽・洗い場防水パン双方の荷重支持に用いたりすることも可能である。さらに必要に応じて、浴槽の下に防水パンを配置する場合もある。また、横長部材Ｌとは、布基礎や建物躯体等から成る基礎Ｋの上端に配置した大引や梁を指すほか、大引や梁を設けずに、基礎Ｋ自体の上部領域を横長部材として同等に扱う場合も考えられる。
【００１４】
本例の吊架台Ｔは、梁部材１、梁部材１の両端部に設けられる吊部材２、梁部材１の少なくとも一方の端部側に配置される受け具３とから成る。梁部材１は、角形鋼管など従来と同様の部材が使用でき、その寸法（幅・長さ）は設置しようとする浴室ユニットの大きさや種類に合わせて選択される。但し、梁部材１の長さ寸法は、対向する横長部材Ｌ，Ｌの間隔寸法（内法寸法）より、若干短くなるよう設定し、施工現場の状況による横長部材Ｌ，Ｌ間の寸法変動に対応可能とする。
【００１５】
吊部材２は、例えば鉄鋼やステンレス鋼等で製作され、横長部材Ｌの上面に固定される固定部２ａと、固定部２ａに対し実質的に直角に垂設され前記梁部材１の端部へ溶接等で固定される垂下部２ｂとを有し、これら固定部２ａ・垂下部２ｂそれぞれにはネジ１０を挿通するための開孔４が設けられている。
【００１６】
受け具３は、例えば鉄鋼やステンレス鋼等で製作され、梁部材１の端部下面を支承する支持部３ａ、支持部３ａに対し実質的に直角に連設され横長部材Ｌに固定される起立部３ｂ、支持部３ａと起立部３ｂとを連結すると共に、梁部材１の幅寸法とほぼ同じ間隔を空けて実質的に平行に配置された１対の補強部３ｃとを有する。起立部３ｂには、ネジ１０を挿通するための開孔５が設けられている。補強部３ｃの形態は、図示する例では三角形状としたが、これに限定されるものではなく、四角形や扇形状も可能である。
【００１７】
吊架台Ｔの構築は、横長部材Ｌにおける梁部材１を架け渡す所定位置に受け具３をネジ１０等で固定し、梁部材１の端部を受け具３の補強部３，３間へ挿入して、幅方向に挟持される状態とする。図２に示す如く、受け具３は、対向する横長部材Ｌのいずれか一方に取り付ければ足りるが、所望により、対向する横長部材Ｌ，Ｌの双方に受け具３を取り付けてもよい。受け具３をいずれか一方だけに配置する場合、梁部材１における受け具３を設けなかった方の端部については、なるべく吊部材２と横長部材Ｌとの間に隙間が形成されないように吊部材２を固定する。他方、梁部材１における受け具３を設けた方の端部については、梁部材１の長さを対向する横長部材Ｌ，Ｌの間隔寸法より短く設定したので、吊部材２の垂下部２ｂと受け具３の固定部３ｂとの間に隙間ｄが形成されるように固定する。なお、受け具３を梁部材１の両端部に配置する場合は、梁部材１の両端部において、吊部材２の垂下部２ｂと受け具３の固定部３ｂとの間に隙間ｄが形成されるように設置することも可能である。
【００１８】
しかるのち、梁部材１の両端部に固定した吊部材２，２を、それぞれ横長部材Ｌへネジ１０等で固定すると共に、梁部材１を受け具３へ固定して一体化する。梁部材１を受け具３に固定する手段としては、両者を接着剤で貼着する手法や、梁部材１の端部を貫通させたタッピングビス１１を受け具３へねじ込む手法などが挙げられる。なおタッピングビス１１を用いるに際し、受け具３のねじ込み予定領域に予めスリットを形成しておいてもよい。
【００１９】
このようにして構築される吊架台Ｔは、対向する横長部材Ｌ．Ｌ間に保持される梁部材１の両端部に取着した吊部材２を横長部材Ｌへ固定すると共に、梁部材１の端部と受け具３とを一体的に固定したので、梁部材１が長手方向に変動するのが確実に阻止される。また、梁部材１の端部下面が受け具３の支持部３ａで支承されるから、吊部材２と受け具３との間の隙間ｄが大きくなっても、吊部材２の固定部２ａに大きい曲げモーメントが作用することがなくなるので、固定部２ａに湾曲や屈曲等の変形が起こらず、よって吊架台Ｔの沈下が防止される。さらに、梁部材１の少なくとも一方の端部を、受け具３に設けた補強部３．３間に挟持する構造としたので、梁部材１が幅方向（長手方向に対し直角な水平方向）に振動したり変位したりするのが阻止される。
【００２０】
［第２の実施形態］
図３は、本発明の吊架台構造に用いる受け具３の異なる実施形態を示すものである。本例の受け具３は、補強部３ｃの外側に、ネジ挿通用の開孔６を有するフランジ部３ｄを設けたところに特色を有する。かかる構成の受け具３は、ネジ止め作業を補強部３ｄの外側で行えるから、横長部材Ｌへネジ１０で固定する作業が比較的容易になる利点を有する。
【図面の簡単な説明】
【００２１】
【図１】本発明の第１の実施形態に係る吊架台構造の要部を示すものであって、梁部材と受け具とを分離した状態の斜視図である。
【図２】本発明の第１の実施形態に係る吊架台構造の要部を示すものであって、梁部材の中間部分を省略した正面断面図である。
【図３】本発明の第２の実施形態に係るものであって、吊架台に用いる受け具を示す斜視図である。
【図４】従来例に係るものであって、浴室ユニット、補強フレーム、吊架台を含む土台及び基礎部分を示す斜視図である。
【図５】従来の吊架台構造の要部を示すものであって、図（Ａ）は梁部材と受け具とを分離した状態の斜視図、図（Ｂ）は要部の正面断面図である。
【符号の説明】
【００２２】
Ｋ…基礎  Ｌ…横長部材  Ｍ…土台  Ｒ…浴室ユニット設置領域  Ｔ…吊架台  １…梁部材  ２…吊部材  ２ａ…固定部  ２ｂ…垂下部  ３…受け具  ３ａ…支持部  ３ｂ…起立部  ３ｃ…補強部  １０…ネジ  ｄ…隙間
【図１】
2008223445.tif 000003
【図２】
2008223445.tif 000004
【図３】
2008223445.tif 000005
【図４】
2008223445.tif 000006
【図５】
2008223445.tif 000007